(57)【要約】【課題】軽量化され、リサイクルし易く、形状の自由度が向上したストッカーを提供すること。【解決手段】ストッカー１は、樹脂で成形されたものであって、設置面に置かれることが可能な底部１０と、段積み可能な買物カゴを保持する保持部３０と、底部１０と保持部３０とを連結する連結部５０とを備える。連結部５０の少なくとも一部は、ストッカー１の正面視で、底部１０から保持部３０へ向かうに連れてストッカー１の中央側へ傾斜する。【選択図】図１
2020121781.tif 000002
【特許請求の範囲】
【請求項１】
樹脂で成形されたストッカーであって、
設置面に置かれることが可能な底部と、
段積み可能な容器を保持する保持部と、
前記底部と前記保持部とを連結する連結部とを備え、
前記連結部の少なくとも一部は、前記ストッカーの正面視で、前記底部から前記保持部へ向かうに連れて前記ストッカーの中央側へ傾斜することを特徴とするストッカー。
【請求項２】
前記連結部は、捻転していることを特徴とする請求項１に記載のストッカー。
【請求項３】
前記保持部は、
第１保持部と、
前記第１保持部から距離的に離間した第２保持部とを備え、
前記連結部は、
前記第１保持部に連結された第１連結部と、
前記第２保持部に連結された第２連結部とを備え、
前記第１連結部及び前記第２連結部は、前記ストッカーの正面視で、略ハの字形状をなしていることを特徴とする請求項１又は請求項２に記載のストッカー。
【請求項４】
前記第１保持部に設けられ、前記ストッカーの平面視で略コの字形状又は略Ｃの字形状である保持側第１側壁部と、
前記第２保持部に設けられ、前記ストッカーの平面視で略コの字形状又は略Ｃの字形状である保持側第２側壁部とを備え、
前記保持側第１側壁部の開放側と前記保持側第２側壁部の開放側とが対向していることを特徴とする請求項３に記載のストッカー。
【請求項５】
前記連結部は、前記ストッカーの平面視で、前記ストッカーの中心側へ傾斜することを特徴とする請求項１乃至請求項４のいずれか一つに記載のストッカー。
【請求項６】
前記底部は、
相対する一対の底側第１側壁部と、
相対すると共に、前記一対の底側第１側壁部と交差する方向へ延びる一対の底側第２側壁部と、
隣り合う前記底側第１側壁部と前記底側第２側壁部との境界が、前記ストッカーの平面視で、前記ストッカーの外方側へ丸みを帯びて張り出した曲面部とを備え、
前記連結部の少なくとも一部は、前記曲面部から延び、
前記連結部の少なくとも一部は、前記曲面部と連なる連続曲面部を備えることを特徴とする請求項１乃至請求項５のいずれか一つに記載のストッカー。
【請求項７】
前記底部は、環状に連なる環状連続部を備えることを特徴とする請求項１乃至請求項６のいずれか一つに記載のストッカー。
【発明の詳細な説明】
【技術分野】
【０００１】
本発明は、容器が載せられるストッカーに関するものである。
【背景技術】
【０００２】
従来より、容器が載せられるストッカーに関し、種々の技術が提案されている。例えば、下記特許文献１には、略矩形形状の外周位置に連接して配置されたパイプ形状の金属製部材と、それぞれの角部に略鉛直方向に設けられた金属製の車輪軸と、を有する台車が記載されている。台車は、この車輪軸の先端には車輪が備えられており、上面には、例えば、買い物カゴ等が積載される。
【先行技術文献】
【特許文献】
【０００３】
【特許文献１】特開２０１０−２８０２９１号公報
【発明の概要】
【発明が解決しようとする課題】
【０００４】
しかしながら、上記特許文献１に記載の台車は、金属製であることから、重く、リサイクルし難い。更に、上記特許文献１に記載の台車は、金属製部材等を溶接して組み立てる必要があるため、形状の自由度が低い。
【０００５】
そこで、本発明は、上述した点を鑑みてなされたものであり、軽量化され、リサイクルし易く、形状の自由度が向上したストッカーを提供することを課題とする。
【課題を解決するための手段】
【０００６】
この課題を解決するためになされた請求項１に係る発明は、樹脂で成形されたストッカーであって、設置面に置かれることが可能な底部と、段積み可能な容器を保持する保持部と、底部と保持部とを連結する連結部とを備え、連結部の少なくとも一部は、ストッカーの正面視で、底部から保持部へ向かうに連れてストッカーの中央側へ傾斜することを特徴とする。
【０００７】
請求項２に係る発明は、請求項１に記載のストッカーであって、連結部は、捻転していることを特徴とする。
【０００８】
請求項３に係る発明は、請求項１又は請求項２に記載のストッカーであって、保持部は、第１保持部と、第１保持部から距離的に離間した第２保持部とを備え、連結部は、第１保持部に連結された第１連結部と、第２保持部に連結された第２連結部とを備え、第１連結部及び第２連結部は、ストッカーの正面視で、略ハの字形状をなしていることを特徴とする。
【０００９】
請求項４に係る発明は、請求項３に記載のストッカーであって、第１保持部に設けられ、ストッカーの平面視で略コの字形状又は略Ｃの字形状である保持側第１側壁部と、第２保持部に設けられ、ストッカーの平面視で略コの字形状又は略Ｃの字形状である保持側第２側壁部とを備え、保持側第１側壁部の開放側と保持側第２側壁部の開放側とが対向していることを特徴とする。
【００１０】
請求項５に係る発明は、請求項１乃至請求項４のいずれか一つに記載のストッカーであって、連結部は、ストッカーの平面視で、ストッカーの中心側へ傾斜することを特徴とする。
【００１１】
請求項６に係る発明は、請求項１乃至請求項５のいずれか一つに記載のストッカー底部は、相対する一対の底側第１側壁部と、相対すると共に、一対の底側第１側壁部と交差する方向へ延びる一対の底側第２側壁部と、隣り合う底側第１側壁部と底側第２側壁部との境界が、ストッカーの平面視で、ストッカーの外方側へ丸みを帯びて張り出した曲面部とを備え、連結部の少なくとも一部は、曲面部から延び、連結部の少なくとも一部は、曲面部と連なる連続曲面部を備えることを特徴とする。
【００１２】
請求項７に係る発明は、請求項１乃至請求項６のいずれか一つに記載のストッカーであって、底部は、環状に連なる環状連続部を備えることを特徴とする。
【発明の効果】
【００１３】
請求項１に係る発明のストッカーは、樹脂製のため、軽量化され、リサイクルし易く、形状の自由度が向上している。よって、請求項１に係る発明のストッカーは、取り回し易く、機能性だけでなく、デザイン性を重視した設計が可能となり、溶接加工が不要なため、生産性に優れている。
【００１４】
更に、請求項１に係る発明のストッカーでは、連結部の少なくとも一部が、ストッカーの正面視で、底部から保持部へ向かうに連れてストッカーの中央側へ傾斜している。そのため、容器の段積み数が増えて保持部に大きな荷重が作用するほど、保持部に連結された連結部が、ストッカーの正面視でストッカーの中央側へ変位するので、保持部に保持されている容器のガタつきが抑制される。よって、請求項１に係る発明のストッカーは、容器保持状態の安定化が図られている。
【００１５】
尚、請求項１に係る発明のストッカーにおいて、底部は、自在キャスターを介して、設置面に置かれてもよい。また、保持部（及び連結部）は、一つであってもよいし、複数であってもよい。但し、保持部（及び連結部）が一つである場合には、保持部は、例えば、保持部（及び連結部）と対向する支持部等と協働することによって、容器を保持する。
【００１６】
請求項２に係る発明のストッカーにおいて、保持部に連結された連結部は、捻転しているので、ストッカーの正面視でストッカーの中央側へ変位することによって、スプリングのように弾力に富んだ状態になる。そのため、請求項２に係る発明のストッカーは、容器保持状態の安定化が高められている。
【００１７】
請求項３に係る発明のストッカーでは、保持部に連結された連結部がストッカーの正面視でストッカーの中央側へ変位することによって、保持部を構成する第１保持部と第２保持部とが互いに近づく。そのため、請求項３に係る発明のストッカーは、水平方向における容器保持状態の安定化が高められている。
【００１８】
更に、請求項３に係る発明のストッカーでは、連結部を構成する第１連結部と第２連結部とが、距離的に離間している第１保持部と第２保持部とにそれぞれ連結されると共に、ストッカーの正面視で略ハの字形状をなしている。そのため、第１連結部と第２連結部との間では、保持部に保持されている容器が露出する。よって、請求項３に係る発明のストッカーでは、容器に記載された情報を、第１連結部と第２連結部との間から見通すことができる。
【００１９】
請求項４に係る発明のストッカーでは、保持部を構成する第１保持部と第２保持部が、ストッカーの平面視で略コの字形状又は略Ｃの字形状である保持側第１側壁部と保持側第２側壁部とをそれぞれ備え、保持側第１側壁部の開放側と保持側第２側壁部の開放側とが対向している。そのため、容器は、ストッカーの平面視で略コの字形状又は略Ｃの字形状である保持側第１側壁部と保持側第２側壁部とで挟持された状態で、保持部に保持される。よって、請求項４に係る発明のストッカーは、容器保持状態の安定化が一層に高められている。
【００２０】
請求項５に係る発明のストッカーにおいて、保持部に連結された連結部は、ストッカーの平面視でストッカーの中心側へ傾斜しているので、ストッカーの正面視でストッカーの中央側へ変位する際は、スプリングのように弾力に富んだ状態で、ストッカーの平面視でストッカーの中心側へも変位する。このようにしても、請求項５に係る発明のストッカーは、容器保持状態の安定化が高められている。
【００２１】
請求項６に係る発明のストッカーは、底部を構成する曲面部と連結部を構成する連続曲面部とによって、曲面形状になっている。そのため、請求項６に係る発明のストッカーでは、保持部に作用する容器の荷重によって応力が生じても、その応力が分散されるので、破損が防止される。更に、保持部に連結された連結部が、ストッカーの正面視でストッカーの中央側へ変位する際は、より一層に、スプリングのように弾力に富んだ状態になる。このようにしても、請求項６に係る発明のストッカーは、容器保持状態の安定化が高められている。
【００２２】
請求項７に係る発明のストッカーは、底部に備えられた環状に連なる環状連続部によって、保持部で容器を保持した際における設置状態の安定化が図られている。これにより、請求項７に係る発明のストッカーは、設置面に対して安定的に置かれるので、保持部に段積みされた容器の倒壊等を防止し得る。
【図面の簡単な説明】
【００２３】
【図１】本発明の実施形態のストッカーが上方から表された斜視図である。
【図２】同ストッカーが下方から表された斜視図である。
【図３】同ストッカーが表された正面図である。
【図４】同ストッカーが表された平面図である。
【図５】同ストッカーが表された側面図である。
【図６】同ストッカーが多数の買物カゴを保持した状態で上方から表された斜視図である。
【図７】図６の枠Ｂが表された拡大図である。
【図８】同ストッカーが多数の買物カゴを保持した状態で表された正面図である。
【発明を実施するための形態】
【００２４】
以下、本発明に係るストッカーについて、店舗等の買物カゴを保持するものとして具体化した本実施形態に基づき、図面を参照しつつ説明する。
【００２５】
図１乃至図５に表されたように、本実施形態のストッカー１は、底部１０、保持部３０、及び連結部５０等を備えている。ストッカー１は、ポリプロピレン等の樹脂を材料として金型成形されたものである。底部１０は、ストッカー１の平面視で、略矩形状である（図４参照）。
【００２６】
尚、図１乃至図５において、符号Ｄ１の方向は、上下方向（つまり、ストッカー１の高さ方向）を示している。符号Ｄ２の方向は、底部１０の長辺方向を示している。符号Ｄ３の方向は、底部１０の短辺方向を示している。Ｄ１方向、Ｄ２方向、及びＤ３方向は、互いに直交する関係にある。従って、Ｄ２方向及びＤ３方向は、水平方向に相当する。これらの点は、後述する図６乃至図８においても、同様である。
【００２７】
底部１０は、一対の底側第１側壁部１２，１２及び一対の底側第２側壁部１４，１４を有している。一対の底側第１側壁部１２，１２は、Ｄ３方向で互いに向かいあった底部１０の長辺を構成し、ストッカー１の外方側へ僅かに張り出した弓状をなしている。一対の底側第２側壁部１４，１４は、Ｄ２方向で互いに向かいあった底部１０の短辺を構成し、ストッカー１の外方側へ僅かに張り出した弓状をなしている。
【００２８】
一対の底側第２側壁部１４，１４は、一方の底側第１側壁部１２の両端からＤ３方向へ延びることによって、他方の底側第１側壁部１２の両端に連なっている。底側第１側壁部１２と底側第２側壁部１４とが連なった箇所は、隣り合う底側第１側壁部１２と底側第２側壁部１４との境界をなし、ストッカー１の平面視で、ストッカー１の外方側へ膨らんだような丸みを帯びることによって、曲面部１６を形成している（図４参照）。このようにして、底部１０は、ストッカー１の平面視で、略矩形状をなすと共に、環状に連なった環状連続部１８をなしている（図４参照）。また、曲面部１６は、底部１０の四隅における側面を構成している。
【００２９】
一対の底側第１側壁部１２，１２の間では、それらのＤ２方向における中央において、底部連結部２０が渡し設けられている。底部１０の四隅には、下方向へ突出した凸状隅部２２が設けられている。ストッカー１は、店舗等に備えられる際に、凸状隅部２２を介して設置面Ａに置かれる。これにより、ストッカー１は、金型成形によって底側第１側壁部１２又は底側第２側壁部１４がＤ１方向で弓なりに変形されたとしても、設置状態がぐらつくことはない。
【００３０】
尚、ストッカー１は、凸状隅部２２に代えて、例えば、底部１０に設けられた自在キャスター等を介して設置面Ａに置かれてもよい。
【００３１】
連結部５０は、底部１０と、底部１０よりも上方側に位置する保持部３０とを連結するものである。連結部５０は、第１連結部５２及び第２連結部５４を備えている。第１連結部５２及び第２連結部５４は、連続曲面部５６と連続側面部５８で構成されている。
【００３２】
連続曲面部５６は、底部１０の四隅における曲面部１６から上方側へ延びることによって、曲面部１６と同様にして、ストッカー１の平面視で、ストッカー１の外方側へ膨らんだような丸みを帯びている（図４参照）。連続側面部５８は、底側第１側壁部１２の両端の一部から上方側へ延びており、連続曲面部５６と連なっている（図３参照）。第１連結部５２及び第２連結部５４の中間位置から上方は、連続側面部５８のみで構成されている。また、連続曲面部５６及び連続側面部５８は、保持部３０へ向かうに連れて、ストッカー１をＤ３方向から視てストッカー１の中央側へ傾斜すると共に（図３参照）、ストッカー１の平面視でストッカー１の中心側へ傾斜している（図４参照）。このようにして、連結部５０の第１連結部５２及び第２連結部５４は、連続曲面部５６と連続側面部５８とが連なることによって捻られるようにして向きを変えながら（捻転し）、ストッカー１をＤ３方向から視て（図３参照）、略ハの字形状をなしている。
【００３３】
尚、以下の説明では、ストッカー１をＤ３方向から視ることを、「ストッカー１の正面視」と表記する。但し、本実施形態とは異なり、ストッカー１をＤ２方向から視ることを、「ストッカー１の正面視」とすることによって、本発明が構成されてもよい。
【００３４】
保持部３０は、第１保持部３２及び第２保持部３４を備えている。第１保持部３２は、保持側第１側壁部３２Ａで構成されている。保持側第１側壁部３２Ａは、Ｄ２方向における一方側の各曲面部１６，１６及び各底側第１側壁部１２，１２の一部から延びた第１連結部５２の上端間に渡し設けられている。これにより、第１保持部３２は、第１連結部５２に連結されている。保持側第１側壁部３２Ａは、ストッカー１の平面視で、ストッカー１の内方側が開放された略Ｃの字形状をなしており、開放側３２Ｂ、長辺側部３２Ｃ、及び一対の短辺側部３２Ｄを有している（図４参照）。長辺側部３２Ｃ及び一対の短辺側部３２Ｄは、それらの上面がＤ２方向及びＤ３方向と平行（つまり、水平）である。長辺側部３２Ｃは、開放側３２Ｂに対してＤ２方向で対向すると共に、Ｄ３方向に沿って設けられており、開放側３２Ｂとは反対側（つまり、ストッカー１の外方側）へ僅かに張り出した弓状をなしている。一対の短辺側部３２Ｄは、長辺側部３２Ｃの両端から開放側３２Ｂの側（つまり、ストッカー１の内方側）へ向かって延びて、連続側面部５８の上端に連なっている。一対の短辺側部３２Ｄの間隔は、開放側３２Ｂに近づくに連れて大きくなる。長辺側部３２Ｃから短辺側部３２Ｄが延びる箇所は、ストッカー１の平面視で、ストッカー１の外方側へ膨らんだような丸みを帯びて形成されている（図４参照）。
【００３５】
第２保持部３４についても、第１保持部３２と同様である。つまり、第２保持部３４は、保持側第２側壁部３４Ａで構成されている。保持側第２側壁部３４Ａは、Ｄ２方向における他方側の各曲面部１６，１６及び各底側第１側壁部１２，１２の一部から延びた第２連結部５４の上端間に渡し設けられている。これにより、第２保持部３４は、第２連結部５４に連結されている。保持側第２側壁部３４Ａは、ストッカー１の平面視で、ストッカー１の内方側が開放された略Ｃの字形状をなしており、開放側３４Ｂ、長辺側部３４Ｃ、及び一対の短辺側部３４Ｄを有している（図４参照）。長辺側部３４Ｃ及び一対の短辺側部３４Ｄは、それらの上面がＤ２方向及びＤ３方向と平行（つまり、水平）である。長辺側部３４Ｃは、開放側３４Ｂに対してＤ２方向で対向すると共に、Ｄ３方向に沿って設けられており、開放側３４Ｂとは反対側（つまり、ストッカー１の外方側）へ僅かに張り出した弓状をなしている。一対の短辺側部３４Ｄは、長辺側部３４Ｃの両端から開放側３４Ｂの側（つまり、ストッカー１の内方側）へ向かって延びて、連続側面部５８の上端に連なっている。一対の短辺側部３４Ｄの間隔は、開放側３４Ｂに近づくに連れて大きくなる。長辺側部３４Ｃから短辺側部３４Ｄが延びる箇所は、ストッカー１の平面視で、ストッカー１の外方側へ膨らんだような丸みを帯びて形成されている（図４参照）。
【００３６】
このようにして、第１保持部３２及び第２保持部３４は、Ｄ２方向において、保持側第１側壁部３２Ａの開放側３２Ｂと保持側第２側壁部３４Ａの開放側３４Ｂとが対向した状態で、距離的に離間して設けられている。
【００３７】
尚、第１保持部３２と第２保持部３４において、保持側第１側壁部３２Ａと保持側第２側壁部３４Ａは、ストッカー１の平面視で、ストッカー１の内方側が開放された略コの字形状をなしてもよい。
【００３８】
また、底側第１側壁部１２と連結部５０との境界、底側第２側壁部１４と連結部５０との境界、及び連結部５０と保持部３０との境界においては、それらの厚み側の面がＲ面取りされている。
【００３９】
図６乃至図８に表されたように、本実施形態のストッカー１は、段積みされた複数の買物カゴ１００を保持部３０で保持することが可能である。その際、ストッカー１に保持された買物カゴ１００内に他の買物カゴ１００が入り込む状態で、複数の買物カゴ１００が段積みされる。また、段積みされた複数の買物カゴ１００のうち、最下段の買物カゴ１００は、Ｄ２方向において距離的に離間している第１保持部３２と第２保持部３４との間に収められる。更に、最下段の買物カゴ１００では、上方フランジ部１０２の下面から下方へ突出した当接リブ１０４が、第２保持部３４の保持側第２側壁部３４Ａにおいて、長辺側部３４Ｃに載置される（図７参照）。この点は、第１保持部３２の保持側第１側壁部３２Ａが有する長辺側部３２Ｃにおいても、同様である。
【００４０】
尚、最下段の買物カゴ１００の当接リブ１０４は、上方フランジ部１０２の下面に設けられた数又は位置に応じ、第２保持部３４の保持側第２側壁部３４Ａにおいて、短辺側部３４Ｄに載置されてもよいし、長辺側部３４Ｃと短辺側部３４Ｄの双方に載置されてもよい。同様にして、最下段の買物カゴ１００の当接リブ１０４は、上方フランジ部１０２の下面に設けられた数又は位置に応じ、第１保持部３２の保持側第１側壁部３２Ａにおいて、短辺側部３２Ｄに載置されてもよいし、長辺側部３２Ｃと短辺側部３２Ｄの双方に載置されてもよい。また、買物カゴ１００において、当接リブ１０４を省略し、上方フランジ部１０２の下面が、長辺側部３４Ｃ，３２Ｃ又は短辺側部３４Ｄ，３２Ｄに載置されてもよい。
【００４１】
更に、ストッカー１の正面視において、第１連結部５２と第２連結部５４との間（又は、第１保持部３２と第２保持部３４との間）には、最下段の買物カゴ１００の側面に設けられた情報表示部１０６が位置する（図８参照）。情報表示部１０６には、宣伝効果が大きい店舗名等が示される。
【００４２】
尚、上述した点は、１つの買物カゴ１００がストッカー１の保持部３０に保持されている場合でも、同様である。
【００４３】
このようにして、本実施形態のストッカー１は、買物カゴ１００（又は運搬用容器等）を保持するが、そのような状態にある買物カゴ１００（又は運搬用容器等）に商品を収容させれば、商品陳列台や商品ストック台として使用されることも可能である。
【００４４】
以上詳細に説明した通り、本実施形態のストッカー１は、樹脂製のため、軽量化され、リサイクルし易く、形状の自由度が向上している。よって、本実施形態のストッカー１は、取り回し易く、機能性だけでなく、デザイン性を重視した設計が可能となり、溶接加工が不要なため、生産性に優れている。
【００４５】
更に、本実施形態のストッカー１では、連結部５０が、ストッカー１の正面視で、底部１０から保持部３０へ向かうに連れてストッカー１の中央側へ傾斜している。そのため、買物カゴ１００の段積み数が増えて保持部３０に大きな荷重が作用するほど、保持部３０に連結された連結部５０が、ストッカー１の正面視でストッカー１の中央側へ変位するので、保持部３０に保持されている買物カゴ１００のガタつきが抑制される。よって、本実施形態のストッカー１は、買物カゴ１００を保持する状態の安定化が図られている。
【００４６】
本実施形態のストッカー１において、保持部３０に連結された連結部５０は、捻られるようにして向きを変えているので、ストッカー１の正面視でストッカー１の中央側へ変位することによって、スプリングのように弾力に富んだ状態になる。そのため、本実施形態のストッカー１は、買物カゴ１００を保持する状態の安定化が高められている。
【００４７】
本実施形態のストッカー１では、保持部３０に連結された連結部５０がストッカー１の正面視でストッカー１の中央側へ変位することによって、保持部３０を構成する第１保持部３２と第２保持部３４とがＤ２方向で互いに近づく。そのため、本実施形態のストッカー１は、Ｄ２方向において、買物カゴ１００を保持する状態の安定化が高められている。
【００４８】
更に、本実施形態のストッカー１では、連結部５０を構成する第１連結部５２と第２連結部５４とが、Ｄ２方向で距離的に離間している第１保持部３２と第２保持部３４とにそれぞれ連結されると共に、ストッカー１の正面視で略ハの字形状をなしている。そのため、第１連結部５２と第２連結部５４との間（又は、第１保持部３２と第２保持部３４との間）では、保持部３０に保持されている買物カゴ１００の情報表示部１０６が露出する。よって、本実施形態のストッカー１では、買物カゴ１００の情報表示部１０６に記載された情報を、第１連結部５２と第２連結部５４との間（又は、第１保持部３２と第２保持部３４との間）から見通すことができる。
【００４９】
本実施形態のストッカー１では、保持部３０を構成する第１保持部３２と第２保持部３４が、ストッカー１の平面視で略Ｃの字形状である保持側第１側壁部３２Ａと保持側第２側壁部３４Ａとをそれぞれ備え、保持側第１側壁部３２Ａの開放側３２Ｂと保持側第２側壁部３４Ａの開放側３４ＢとがＤ２方向で対向している。そのため、買物カゴ１００は、ストッカー１の平面視で略Ｃの字形状である保持側第１側壁部３２Ａと保持側第２側壁部３４Ａとで挟持された状態で、保持部３０に保持される。よって、本実施形態のストッカー１は、買物カゴ１００を保持する状態の安定化が一層に高められている。
【００５０】
本実施形態のストッカー１において、保持部３０に連結された連結部５０は、ストッカー１の平面視でストッカー１の中心側へ傾斜しているので、ストッカー１の正面視でストッカー１の中央側へ変位する際は、スプリングのように弾力に富んだ状態で、ストッカー１の平面視でストッカー１の中心側へも変位する。このようしても、本実施形態のストッカー１は、買物カゴ１００を保持する状態の安定化が高められている。
【００５１】
本実施形態のストッカー１は、少なくとも、底部１０を構成する曲面部１６と連結部５０を構成する連続曲面部５６とによって、曲面形状になっている。そのため、本実施形態のストッカー１では、保持部３０に作用する買物カゴ１００の荷重によって応力が生じても、その応力が分散されるので、破損が防止される。更に、保持部３０に連結された連結部５０が、ストッカー１の正面視でストッカー１の中央側へ変位する際は、より一層に、スプリングのように弾力に富んだ状態になる。このようしても、本実施形態のストッカー１は、買物カゴ１００を保持する状態の安定化が高められている。
【００５２】
本実施形態のストッカー１は、底部１０に備えられた環状に連なる環状連続部１８によって、保持部３０で買物カゴ１００を保持した際における設置状態の安定化が図られている。これにより、本実施形態のストッカー１は、設置面Ａに対して安定的に置かれるので、保持部３０に段積みされた複数の買物カゴ１００の倒壊等を防止し得る。
【００５３】
更に、その倒壊等を防止し得る点は、底部１０において、一対の底側第１側壁部１２，１２の間に渡し設けられた底部連結部２０によって、高められている。
【００５４】
ちなみに、本実施形態において、買物カゴ１００は、「容器」の一例である。
【００５５】
尚、本発明は上記実施形態に限定されるものでなく、その趣旨を逸脱しない範囲で様々な変更が可能である。
例えば、本実施形態のストッカー１において、保持部３０（及び連結部５０）は、一つであってもよいし、複数であってもよい。但し、保持部３０（及び連結部５０）が一つである場合には、保持部３０は、例えば、Ｄ２方向において保持部３０（及び連結部５０）と対向する支持部等と協働することによって、買物カゴ１００を保持する。
【００５６】
また、連結部５０は、底部１０の四隅における曲面部１６以外から上方側へ延びることによって保持部３０と連結する部材を有してもよい。例えば、その部材は、一対の底側第２側壁部１４，１４の略中央部から上方に延び、ストッカー１をＤ３方向から視てストッカー１の中央側へ傾斜すると共に、ストッカー１の平面視でストッカー１の中心側へ傾斜する。尚、その部材上端には、ストッカー１の平面視でストッカー１の内方側が開放された略コの字形状又は略Ｃの字形状をなした保持側側壁部を備えていてもよい。そのような部材は、ストッカー１の外方へ張り出した曲面を有しなくてもよい。
【００５７】
また、連結部５０を構成する連続曲面部５６は、底部１０の四隅における曲面部１６から上方向へまっすぐ延び、その途中において、ストッカー１をＤ３方向から視てストッカー１の中央側へ傾斜してもよいし（図３参照）、ストッカー１の平面視でストッカー１の中心側へ傾斜してもよい（図４参照）。また、連結部５０を構成する連続側面部５８は、底側第１側壁部１２の両端の一部から上方向へまっすぐ延び、その途中において、ストッカー１をＤ３方向から視てストッカー１の中央側へ傾斜してもよいし（図３参照）、ストッカー１の平面視でストッカー１の中心側へ傾斜してもよい（図４参照）。
【００５８】
また、連結部５０を構成する連続曲面部５６は、第１連結部５２及び第２連結部５４の上端まで延びていてもよい。
【００５９】
また、連結部５０（第１連結部５２及び第２連結部５４）は、連続曲面部５６のみで構成されていてもよい。
【００６０】
また、連続曲面部５６が第１連結部５２及び第２連結部５４の上端まで延びている場合、又は連結部５０（第１連結部５２及び第２連結部５４）が連続曲面部５６のみで構成されている場合には、連続曲面部５６が捻られるようにして向きを変えてもよい。
【００６１】
また、連結部５０（第１連結部５２及び第２連結部５４）は、連続側面部５８のみで構成されていてもよい。この場合、連続側面部５８が捻られるようにして向きを変えてもよい。
【００６２】
また、連続側面部５８（又は連続側面部５８の一部）は、例えば、底側第１側壁部１２のように、ストッカー１の外方側へ僅かに張り出した弓状ではなく、Ｄ２方向に平行な平面であってもよい。
【００６３】
また、保持部３０を構成する第１保持部３２において、保持側第１側壁部３２Ａは、長辺側部３２Ｃと、長辺側部３２Ｃの両端からＤ２方向へ延びる一対の短辺側部３２Ｄとを有しているが、その一対の短辺側部３２Ｄは、長辺側部３２Ｃに対して、その両端寄り位置からＤ２方向で交差するようにして延びてもよい。この点は、保持部３０を構成する第２保持部３４における保持側第２側壁部３４Ａでも、同様である。
【００６４】
また、保持部３０を構成する第１保持部３２は、一方の底側第２側壁部１４の両端又は両端寄りの位置から延びた第１連結部５２の連続曲面部５６及び／又は連続側面部５８の上端間において分離する、２部材で構成されてもよい。同様にして、保持部３０を構成する第２保持部３４は、他方の底側第２側壁部１４の両端又は両端寄りの位置から延びた第２連結部５４の連続曲面部５６及び／又は連続側面部５８の上端間において分離する、２部材で構成されてもよい。
【００６５】
さらに、保持部３０を構成する第１保持部３２は、一方の底側第１側壁部１２の両端又は両端寄りの位置から延びた第１連結部５２の連続曲面部５６及び／又は連続側面部５８の上端間において分離する、２部材で構成されてもよい。同様にして、保持部３０を構成する第２保持部３４は、他方の底側第１側壁部１２の両端又は両端寄りの位置から延びた第２連結部５４の連続曲面部５６及び／又は連続側面部５８の上端間において分離する、２部材で構成されてもよい。
【００６６】
また、さらに、保持部３０を構成する第１保持部３２は、底部１０の四隅におけるＤ２方向の一方側の各曲面部１６，１６又はＤ３方向の一方側の各曲面部１６，１６から延びた第１連結部５２の連続曲面部５６及び／又は連続側面部５８の上端間において分離する、２部材で構成されてもよい。同様にして、保持部３０を構成する第２保持部３４は、底部１０の四隅におけるＤ２方向の他方側の各曲面部１６，１６又はＤ３方向の他方側の各曲面部１６，１６から延びた第２連結部５４の連続曲面部５６及び／又は連続側面部５８の上端間において分離する、２部材で構成されてもよい。
【００６７】
また、保持側第１側壁部３２Ａは、一方の底側第２側壁部１４の両端又は両端寄りの位置から延びた第１連結部５２における連続曲面部５６及び／又は連続側面部５８の上端間に渡し設けられていてもよい。同様にして、保持側第２側壁部３４Ａは、他方の底側第２側壁部１４の両端又は両端寄りの位置から延びた第２連結部５４における連続曲面部５６及び／又は連続側面部５８の上端間に渡し設けられていてもよい。
【００６８】
さらに、保持側第１側壁部３２Ａは、一方の底側第１側壁部１２の両端又は両端寄りの位置から延びた第１連結部５２における連続曲面部５６及び／又は連続側面部５８の上端間に渡し設けられていてもよい。同様にして、保持側第２側壁部３４Ａは、他方の底側第１側壁部１２の両端又は両端寄りの位置から延びた第２連結部５４における連続曲面部５６及び／又は連続側面部５８の上端間に渡し設けられていてもよい。
【００６９】
また、さらに、保持側第１側壁部３２Ａは、底部１０の四隅におけるＤ３方向の一方側の各曲面部１６，１６から延びた第１連結部５２における連続曲面部５６及び／又は連続側面部５８の上端間に渡し設けられていてもよい。同様にして、保持側第２側壁部３４Ａは、底部１０の四隅におけるＤ３方向の他方側の各曲面部１６，１６から延びた第２連結部５４における連続曲面部５６及び／又は連続側面部５８の上端間に渡し設けられていてもよい。
【００７０】
また、保持部３０において、短辺側部３２Ｄ又は短辺側部３４Ｄは、連続側面部５８の一部であってもよい。
【００７１】
また、保持部３０において、第１保持部３２の長辺側部３２Ｃと短辺側部３２Ｄの上面の高さが異なっていてもよい。同様にして、第２保持部３４の長辺側部３４Ｃと短辺側部３４Ｄの上面の高さが異なっていてもよい。
【００７２】
また、買物カゴ１００（又は運搬用容器等）の形状やストッカー１の使用用途に応じて、保持側第１側壁部３２Ａと保持側第２側壁部３４Ａの上面の高さが異なっていてもよい。
【符号の説明】
【００７３】
１  ストッカー
１０  底部
１２  一対の底側第１側壁部
１４  一対の底側第２側壁部
１６  曲面部
１８  環状連続部
３０    保持部
３２    第１保持部
３２Ａ  保持側第１側壁部
３２Ｂ  開放側
３４    第２保持部
３４Ａ  保持側第２側壁部
３４Ｂ  開放側
５０  連結部
５２  第１連結部
５４  第２連結部
５６  連続曲面部
１００  買物カゴ
Ａ      設置面
【図１】
2020121781.tif 000003
【図２】
2020121781.tif 000004
【図３】
2020121781.tif 000005
【図４】
2020121781.tif 000006
【図５】
2020121781.tif 000007
【図６】
2020121781.tif 000008
【図７】
2020121781.tif 000009
【図８】
2020121781.tif 000010